(57)【特許請求の範囲】
【請求項１】
少なくとも一種類以上の香りカプセルを埋設若しくは塗布した香りカードの平面上を、電気信号の入力により２次元的に駆動するカプセル崩壊子を移動せしめて、指定した位置の香りカプセルを破壊して任意の香気を発生させる自動発香方法において、少なくとも一種類以上の香料の入った香りカードからなる容器を、ゲーム機の遊戯具、テレビゲーム機、ワードプロセッサー若しくはコンピューターの外部装置に付設し、これら外部装置の電気信号、キーボード情報若しくはインターネットの通信手段により、前記香りカードからなる容器を連続若しくは時限的に解放せしめて前記外部装置の周辺に指定の香気を発生させることを特徴とする自動発香方法。
【請求項２】
少なくとも一種類以上の香りカプセルを埋設若しくは塗布した香りカードと、前記香りカプセルを崩壊させるカプセル崩壊子とを有する発香ユニットと、該発香ユニットにて霧化若しくは気化した香料を外部に向けて強制的に放出せしめる送風ユニットと、該送風ユニット並びに前記発香ユニットの動作を制御せしめる制御ユニットとを備えてなる発香システム装置において、前記発香ユニットは、少なくとも一種類以上の香りカプセルを埋設若しくは塗布した香りカードと、前記香りカプセルを熱崩壊、圧崩壊、又は光崩壊させるカプセル崩壊子と、前記香りカードを保持するための保持部と、前記カプセル崩壊子を駆動させる駆動部とを備え、前記発香ユニットに、排気方向のみに開弁するように形成された逆止弁を装着したことを特徴とする発香システム装置。
【発明の詳細な説明】
【０００１】
【発明の属する技術分野】
本発明は多くの香りをコンパクトに、かつ、短時間で任意の香気を発香することができる自動発香方法とその発香システム装置に関し、延いては、キーボード情報を制御信号としてフィードバックすることにより、ストレス緩和、リラックスなどの効果を持つ香りを発香したり、更には、画像情報に対応して、画像にふさわしい香りを供給することができる自動発香方法とその発香システム装置に関する。
【０００２】
【従来の技術】
従来の発香システム装置は、瓶等の容器本体内に液状若しくは個体の芳香剤を封入してなり、同容器本体の開閉自在な芳香口を開口させることにより、任意の香りが外界へ芳香するように構成されている。
【０００３】
【発明が解決しようとする課題】
しかしながら、上述した従来の発香システム装置にあっては、前記容器本体が瓶等の容器であるため、嵩張ってしまうといった問題を有すると共に、その都度、前記芳香口を手で開閉しなければならず、また、一旦、開口した場合には、芳香剤がなくなるまで、無駄に放置されてしまうといった問題をも有するものであった。
【０００４】
しかも、瓶等の容器本体にあっては、通常、一種類の芳香剤しか封入できないため、その時の雰囲気や環境に合わせて香りを変えることができず、趣向性及び対応性に欠けるものであった。
【０００５】
本発明はかかる問題点に鑑みてなされたもので、多くの香りをコンパクトに、かつ、短時間で任意の香りを芳香することができる他、延いては、外部装置のキーボード情報を制御信号としてフィードバックすることにより、自動的にストレス緩和、リラックスなどの効果を持つ香りを発香したり、更には、外部装置の画像情報に対応して、その画像にふさわしい香りを選択的に供給することができる自動発香方法とその発香システム装置を提供するものである。
【０００６】
【課題を解決するための手段】
上述の如き従来の問題点を解決し、所期の目的を達成するため本発明の要旨とする構成は、少なくとも一種以上の香りカプセルを埋設若しくは塗布した香りカードの平面上を、電気信号の入力により１次元的若しくは２次元的に駆動するカプセル崩壊子を移動せしめて、指定した位置の香りカプセルを破壊して任意の香気を発生させることを特徴とする自動発香方法に存する。
【０００７】
また、テレビゲーム機、ワードプロセッサー若しくはコンピューター等の外部装置における指定キーの入力により、予め設定されている発香システム装置のカプセル崩壊子を作動せしめて、任意の香気を発生させるようにシステム化しても良い。
【０００８】
更に、インターネット等の通信手段により予め設定されている遠隔地の発香システム装置を制御するようにしても良い。
【０００９】
一方、この方法を実施するための本発明による発香システム装置は、少なくとも一種類以上の香りカプセルを埋設若しくは塗布した香りカードと前記香りカプセルを崩壊させるカプセル崩壊子とを有する発香ユニットと、該発香ユニットにて霧化若しくは気化した香料を外部に向けて強制的に放出せしめる送風ユニットと、該送風ユニット並びに前記発香ユニットの動作を制御せしめる制御ユニットとを備えてなる発香システム装置に存する。
【００１０】
また、前記発香ユニットは、少なくとも一種以上の香りカプセルを埋設若しくは塗布した香りカードと、前記香りカプセルを熱崩壊、圧崩壊、又は光崩壊させるカプセル崩壊子と、前記香りカードを保持するための保持部と、前記カプセル崩壊子を駆動させる駆動部とを備えるのが良い。
【００１１】
さらに、本発明方法は、香りカードに限らず、芳香剤若しくは香料の入った少なくとも一種以上の容器を、ゲーム機等の遊戯具、テレビゲーム機、ワードプロセッサー若しくはコンピューター等の外部装置に付設し、これら外部装置の電気信号、キーボード情報若しくはインターネット等の通信手段により、前記容器を連続若しくは時限的に解放せしめて前記外部装置の周辺に指定の香気を発生させるようにしても良い。
【００１２】
このように構成される本発明では、少なくとも一種類以上の香りカプセルを埋設若しくは塗布した香りカードの平面上を、電気信号の入力により１次元的若しくは２次元的に駆動するカプセル崩壊子を移動せしめて指定した位置の香りカプセルを破壊して任意の香気を発生させることによって、コンパクト、かつ、短時間にして簡単に発香し得ることとなり、延いては、外部装置のキーボード情報を制御信号としてフィードバックさせることにより、ストレス緩和、リラックスなどの効果を持つ香りを発香したり、更には、外部装置の画像情報に対応して、その画像にふさわしい香りを供給し得ることとなる。以下、本発明を更に詳細に説明する。
【００１３】
【発明の実施の形態】
本発明は、主としてゲーム機等の遊戯具、テレビゲーム、ワードプロセッサー若しくはコンピューター等の外部装置に付設して、その画像にふさわしい香りを発香させたり或いは疲労回復の香りを芳香させることを意図するものであるが、これに限定されることなく、クーラーやファンヒーターなどの芳香器としても応用できることは云うまでもない。
【００１４】
本発香方法の第１工程について説明する。先ず最初に、所定大きさのカードの表面に、少なくとも一種以上の香りカプセルを埋設若しくは塗布して香りカードを形成する。カードの素材としては、主として合成樹脂材等の適宜素材が使用されるものであるが、必要に応じ、金属、厚紙、織布、不織布若しくはこれらの複合素材を使用できる。因に、この香りカプセルは、同カード表面上にバインダーを介して装着させても良い。
【００１５】
また他の実施態様としては、香りカードを円盤状に形成しておき、この円盤を回転可能な状態で支持させ、円盤表面の対面位置に設置された崩壊器具で香りカプセルを崩壊させるべく、円盤状香りカードを回転させるようにすることも可能である。
【００１６】
また、香りカプセルの担体としては、香料を封入したマイクロカプセルを使用するのが好ましく、更には、一枚の香りカードで、例えば、森の香り、草原の香り、土の香り、花の香り等が得られるように、香りの種類毎にブロック分けして同カプセルを担持させるのが良い。
【００１７】
因に、森の香りとしては、ウッデイ、グリーンを基調にして、シトラス、フローラル、スパイシー、オリエンタル、オイリー、フルーティーなどの香気を合わせることにより、ナチュラルな感じで芳香できるのである。
【００１８】
次いで、第２工程について説明する。第１工程で得た香りカードの平面上を、電気信号の入力により１次元的若しくは２次元的に駆動するカプセル崩壊子を移動せしめる。このカプセル崩壊子としては、熱、光、圧力等の物理的刺激で前記香りカプセルを任意に破壊できるものであれば如何なるもので良く、例えば熱崩壊子、圧崩壊子、光崩壊子等を使用するのが好ましい。
【００１９】
また、電気信号の入力手段としては、手動的なスイッチングによる入力よりも、ゲーム機等の遊戯具（図１参照）、テレビゲーム（図２参照）、ワードプロセッサー若しくはコンピューター（図３参照）等の外部装置に接続し、これらの電気信号、キーボード情報若しくはインターネット等の通信手段により、自動的に入力できるようにシステム化するのが好ましい。
【００２０】
次いで、第３工程について説明する。指定した位置の香りカプセルを破壊して任意の香気を発生させる。換言すれば、香りの種類毎にブロック分けされた前記香りカード上をカプセル崩壊子が、例えば、Ｘ動作軸、Ｙ動作軸を介して縦横に移動することにより（図５参照）、予め用意された多種類の芳香の中から特定種類の香りが選定され、次いで、同カプセル崩壊子がその香りカプセル上にヒートプレス状に接触することにより、同カプセルが熱崩壊して、中に封じ込められていた香気が外界へと芳香するのである。
【００２１】
また、本発明の芳香手段としては、香りカプセルを装着した香りカードのみに限定されるものではなく、例えば、香料の入った少なくとも一種以上の容器を、ゲーム機等の遊戯具、テレビゲーム機、ワードプロセッサー若しくはコンピューター等の外部装置に付設し、これら外部装置の電気信号、キーボード情報若しくはインターネット等の通信手段により、前記香料容器を連続若しくは時限的に解放せしめて前記外部装置の周辺に指定の香気を発生させるようにシステム化しても良い（図８〜図１３参照）。
【００２２】
次に、本発明に係る発香システム装置の第１実施例を図１〜図６を参照しながら説明する。図１は本発香システム装置Ａを香り伝送管１を介してゲーム機２に接続した状態を示す説明図、図２は発香システム装置Ｂをテレビゲーム３を介してテレビ４に接続した状態を示す説明図、図３は発香システム装置Ｃをインターフェイスボード５を介してパーソナルコンピューター６に接続させた状態を示す説明図である。
【００２３】
この発香システム装置Ａ、Ｂ、Ｃは、図４に示すように、発香ユニット７と、該発香ユニット７にて霧化若しくは気化した香料を外部に向けて強制的に放出せしめる送風ユニット（図示せず）と、該送風ユニット並びに前記発香ユニット７の動作を制御せしめる制御ユニット（図示せず）とを備えている。
【００２４】
前記発香ユニット７は、少なくとも一種以上の（マイクロカプセルからなる）香りカプセル８，８…（図４（ｄ）参照）を埋設若しくは塗布してなる香りカード９と、前記香りカプセル８，８…を熱崩壊させるカプセル崩壊子１０と、前記香りカード９を保持するための保持部１１と、前記カプセル崩壊子１０を駆動させる駆動部１２とを備えている。
【００２５】
該駆動部１２は、前記カプセル崩壊子１０を香りカード９に対し水平方向に案内せしめるＸ動作軸１３と、垂直方向に案内せしめるＹ動作軸１４と、ストッパー１５並びにケーブル１６とを備えており、前記Ｘ・Ｙ動作軸１３，１４の相関位置により、カプセル崩壊子１０は香りカード９上を上下左右に移動できる。
【００２６】
また、前記香りカード９には、図４に示すように、多種類の香りカプセル８，８…をそれぞれ水平方向に塗布してなる帯状のトラック９ａ，９ｂ，９ｃ…により、森の香り９Ａ、草原の香り９Ｂ、土の香り９Ｃ、花の香り９Ｄの領域にブロック分けされている。
【００２７】
例えば、森の香り９Ａの領域としては、図４（ａ）に示すように、トラック９ａ〜９ｈに、それぞれウッデイ、グリーンを基調にしてシトラス、フローラル、スパイシー、オリエンタル、オイリー、フルーティーなどの香気を集合せることにより、ナチュラルな芳香を醸し出すことができる。
【００２８】
また、この香りカード９としては、これに限定されることなく、図６（ａ）、図６（ｂ）に示すように、異形状にブロック分けされた２種類の香りカードを予め用意しておき、これらシートを前記発香ユニット７に入れ替え使用することにより、より多種類の芳香が得られるのである。
【００２９】
このように構成される発香システム装置は、ゲーム機１、テレビゲーム機３、ワードプロセッサー若しくはコンピューター６等の外部装置に接続することにより、これらの電気信号、キーボード情報若しくはインターネット等の通信手段により、カプセル崩壊子１０が、香りの種類毎にブロック分けされた前記香りカード９上を、前記Ｘ動作軸１３、Ｙ動作軸１４を介して縦横に移動した後、同カプセル崩壊子１０がその香りカプセル８，８…を崩壊し、その中に封じ込められている香気を外界へと芳香することができる。
【００３０】
従って、予め、疲れてミスキー操作が増えた場合、ＯＡ作業が一定量を超えた場合等のキーボード情報を制御信号として制御ユニットにフィードバックさせておけば、自動的にストレス緩和、リラックスなどの効果を持つ香りを発香させたり、休憩の時期を香りで告げることができる。
【００３１】
また、テレビゲーム機３等の外部装置に接続して、その画像、画面にふさわしい香りを選択的に供給したり、シンセサイザー等の楽器に接続して音楽に合わせた香りの散布、更には、人の心拍、呼吸、皮膚温度などの電気情報を制御ユニットにフィードバックして、その空間の香り環境を制御するシステムをも可能にするのである。
【００３２】
次に、本発明に係る発香システム装置の第２実施例を図７〜図１３を参照しながら説明する。尚、理解を容易にするため、前述した第１実施例と同一部分は同一符号で示し、構成の異なる処のみを新たな番号を付して以下に説明する。
【００３３】
図７は、発香システム装置Ｄをインターフェイスユニット１７を介してコンピューター８に接続した状態を示す説明図である。この発香システム装置Ｄは、匂い逆戻り防止型の発香システム装置であり、図８に示すように、中空箱状の発香ユニット１８と、該発香ユニット１８内に配設された蓋付きの内装容器１９と、該内装容器１９に送風管２０を介して連通された圧縮器２１とを備えている。
【００３４】
前記内装容器１９は、合成樹脂材等の適宜素材から形成されており、中に固形若しくは液体状の香料Ｋが封入されている。また、この内装容器１９の蓋体１９ａには、前記発香ユニット１８の外側に配設された排気管２２と連通する逆止弁２３が装着されている。
【００３５】
この逆止弁２３は、内装容器１９から排気方向のみに開弁するように形成された逆止弁（好ましくは低圧作動型）であり、芳香が逆戻りしないようになっている。
【００３６】
また、この発香システム装置Ｄは、本実施例に限定されることなく、図９〜図１０に示すように、単独作動型（図９参照）や遠隔操作型（図１０参照）の発香システム装置を使用しても良い。因に、図中２４は電池、２５はコンピュータ制御端子、２６は電源供給又は制御ライン端子である。
【００３７】
さらには、図１１に示すように、複数の発香システム装置Ｄ，Ｄ…を制御ケーブル２７を介して連結し、多種類の芳香が得られるように形成したり、図１２に示すように、モーターファン制御ボード２８、モーターファン２９を介して強制的に芳香を送風するように構成しても良い。
【００３８】
このように構成される発香システム装置Ｄは、目的とする香りの内装容器１９にエアを導きバブリングして香気を発生させることができるものであり、環境や好みに応じた芳香を得ることができるものである。
【００３９】
尚、本発明はこれら実施例に限定されることなく、本発明の目的の範囲内で自由に設計変更し得るものであり、本発明はそれらの全てを包摂するものである。例えば、図１３に示すように、発香ユニット１８にそれぞれ香りの違う複数の内装容器１９，１９…を内装し、各内装容器１９に配設させた圧縮器２１若しくはファン２９で強制的に送風させても良い。
【００４０】
また、コンピューター６をインターネットやその他のネットワークに交信させることにより、予め設定されている相手方の遠隔地のコンピューターに接続されている前述の発香システム装置Ａ，Ｂ，Ｃ，Ｄを制御するようにしても良い。
【００４１】
【発明の効果】
以上のように構成される本発明に係る自動発香方法とその発香システム装置は、多くの香りをコンパクトに、かつ、短時間で任意の香気を発香することができるといった効果を奏すると共に、延いては、外部装置のキーボード情報や電気情報を制御信号としてフィードバックすることにより、ストレス緩和、リラックスなどの効果を持つ香りを発香したり、更には、外部装置の画像情報に対応して、その画像にふさわしい香りを供給することができるなどの優れた効果を奏するものである。
【００４２】
このように本発明は、嵩張ることなく多くの香りをコンパクトに、かつ、短時間でその環境、好みに応じた香気を発香することができる他、自動的に他種類の芳香の中から任意の香りを選択的に発香したり、更には、手を煩わすことなく連続的或いは時限的に自由に芳香できるため、従来の如き無駄な芳香使用が阻止できるものであり、また、構成が単純であるため大量生産に適し、価格も低廉なものとして需要者に供給できるなど、本発明を実施することはその実益的価値が甚だ大である。
【図面の簡単な説明】
【図１】  本発明に係る発香システム装置Ａを、伝送管を介してゲーム機に接続した状態を示す説明図である。
【図２】  本発明に係る発香システム装置Ｂを、テレビゲーム機を介してテレビに接続した状態を示す説明図である。
【図３】  本発明に係る発香システム装置Ｃを、インターフェイスボードを介してパーソナルコンピューターに接続させた状態を示す説明図である。
【図４】  図４（ａ）は本発明に係る発香システム装置に使用する香りカードの説明図であり、図４（ｂ）は各種の香り領域を示す同香りカードの説明図であり、また図４（ｃ）は発香ユニットの説明図であり、図４（ｄ）は同香りカードの横断面図である。
【図５】  本実施例で使用する発香ユニットの説明図である。
【図６】  図６（ａ）は本実施例で使用する香りカードの他の実施例を示す説明図、図６（ｂ）は各種の香り領域を示す説明図であり、図６（ｃ）は香りカードを挿着した状態を示す発香ユニットの簡略図である。
【図７】  本発明に係る発香システム装置Ｄを、インターフェイスユニットを介してコンピューターに接続させた状態を示す説明図である。
【図８】  本発明に係る発香システム装置( 匂い逆戻り防止型) の、第２実施例を示す説明図である。
【図９】  本実施例で使用する、単独作動型の発香システム装置を示す説明図である。
【図１０】  本実施例で使用する、遠隔操作型の発香システム装置を示す説明図である。
【図１１】  複数の発香システム装置を、制御ケーブルを介して連結させた実施例を示す説明図である。
【図１２】  モーターファンを、モーターファン制御ボードを介してコンピューターに接続させた状態を示す説明図である。
【図１３】  図１３（ａ）は発香ユニット内にそれぞれ香りの違う複数の内装容器を配設してなる発香システム装置の説明図であり、図１３（ｂ）は圧縮器を装着した内装容器の説明図、図１３（ｃ）は振動子とファンを利用した内装容器の説明図である。
【符号の説明】
Ａ  発香システム装置
Ｂ  発香システム装置
Ｃ  発香システム装置
Ｄ  発香システム装置
Ｋ  香料
Ｓ  制御ソフト
１  伝送管
２  ゲーム機
３  テレビゲーム機
４  テレビ
５  インターフェイスボード
６  コンピューター
７  発香ユニット
８  香りカプセル
９  香りカード
９ａ  トラック（シトラス）
９ｂ  トラック（フローラル）
９ｃ  トラック（ウッデイ）
９ｄ  トラック（グリーン）
９ｅ  トラック（スパイシー）
９ｆ  トラック（オリエンタル）
９ｇ  トラック（オイリー）
９ｈ  トラック（フルーティー）
９Ａ  森の香り
９Ｂ  草原の香り
９Ｃ  土の香り
９Ｄ  花の香り
９Ｅ  海の香り
９Ｆ  オイルの香り
１０  カプセル崩壊子
１１  保持部
１２  駆動部
１３  Ｘ動作軸
１４  Ｙ動作軸
１５  ストッパー
１６  ケーブル
１７  インターフェイスユニット
１８  発香ユニット
１９  内装容器
１９ａ  蓋体
２０  送風管
２１  圧縮器
２２  排気管
２３  逆止弁
２４  電池
２５  コンピュータ制御端子
２６  電源供給又は制御ライン端子
２７  制御ケーブル
２８  モーターファン制御ボード
２９  モーターファン
【図１】
0003670764.tif 000002
【図２】
0003670764.tif 000003
【図３】
0003670764.tif 000004
【図４】
0003670764.tif 000005
【図５】
0003670764.tif 000006
【図６】
0003670764.tif 000007
【図７】
0003670764.tif 000008
【図８】
0003670764.tif 000009
【図９】
0003670764.tif 000010
【図１０】
0003670764.tif 000011
【図１１】
0003670764.tif 000012
【図１２】
0003670764.tif 000013
【図１３】
0003670764.tif 000014